(57)【要約】【課題】対象となる演奏曲の演奏待ち情報を確実に把握させられる音楽再生装置及びその演奏待ち情報通知システムを提供する。【解決手段】カラオケ装置１０の中央演算処理装置２６は、ＲＡＭ３０に記憶された複数の予約された演奏曲のうち所定の演奏曲が出力されるまでの間の演奏曲の情報を携帯用通信端末５０に送信する予約情報送信手段１００を含み、その携帯用通信端末５０の制御部７０は、予約情報送信手段１００により送信された所定の演奏曲が出力されるまでの間の演奏曲の情報に基づいてその所定の演奏曲の演奏待ち情報を表示させる演奏待ち情報表示手段１０８を含むことから、ＲＡＭ３０に記憶された複数の予約された演奏曲に変更が生じた場合であっても携帯用通信端末５０を介してその変更を踏まえた情報を通知することができる。【選択図】  図４
2005024689.tif 000002
【特許請求の範囲】
【請求項１】
携帯用通信端末の入力操作により予約された所定の演奏曲を含む予約された複数の演奏曲を記憶する記憶装置を備え、該記憶装置に記憶された複数の演奏曲を順次出力させる音楽再生装置であって、
該記憶装置に記憶された複数の予約された演奏曲のうち前記所定の演奏曲が出力されるまでの間の演奏曲の情報を前記携帯用通信端末に送信する予約情報送信手段を含むことを特徴とする音楽再生装置。
【請求項２】
前記所定の演奏曲が出力されるまでの間の演奏曲の情報に基づいて該所定の演奏曲の演奏開始までの時間を算出する演奏待ち時間算出手段を含み、前記予約情報送信手段は、該演奏待ち時間算出手段により算出された前記所定の演奏曲の演奏開始までの時間を前記携帯用通信端末に送信するものである請求項１の音楽再生装置。
【請求項３】
前記予約情報送信手段は、前記所定の演奏曲が出力されるまでの間の演奏曲の曲数を前記携帯用通信端末に送信するものである請求項１又は２の音楽再生装置。
【請求項４】
演奏曲の演奏が終了したか否かを判定する演奏終了判定手段を含み、前記予約情報送信手段は、該演奏終了判定手段の判定が肯定される毎に前記所定の演奏曲が出力されるまでの間の演奏曲の情報を前記携帯用通信端末に送信するものである請求項１から３の何れかの音楽再生装置。
【請求項５】
前記予約情報送信手段は、前記携帯用通信端末により所定の更新操作が実行される毎に前記所定の演奏曲が出力されるまでの間の演奏曲の情報を該携帯用通信端末に送信するものである請求項１から４の何れかの音楽再生装置。
【請求項６】
前記予約情報送信手段は、所定時間が経過する毎に前記所定の演奏曲が出力されるまでの間の演奏曲の情報を前記携帯用通信端末に送信するものである請求項１から５の何れかの音楽再生装置。
【請求項７】
携帯用通信端末の入力操作により予約された所定の演奏曲を含む予約された複数の演奏曲を記憶する記憶装置を備え、該記憶装置に記憶された複数の演奏曲を順次出力させる音楽再生装置の演奏待ち情報通知システムであって、
該音楽再生装置は、前記記憶装置に記憶された複数の予約された演奏曲のうち前記所定の演奏曲が出力されるまでの間の演奏曲の情報を前記携帯用通信端末に送信する予約情報送信手段を含み、
前記携帯用通信端末は、該予約情報送信手段により送信された前記所定の演奏曲が出力されるまでの間の演奏曲の情報に基づいて該所定の演奏曲の演奏待ち情報を表示させる演奏待ち情報表示手段を含むことを特徴とする音楽再生装置の演奏待ち情報通知システム。
【請求項８】
前記所定の演奏曲が出力されるまでの間の演奏曲の情報に基づいて該所定の演奏曲の演奏開始までの時間を算出する演奏待ち時間算出手段を含み、前記演奏待ち情報表示手段は、該演奏待ち時間算出手段により算出された前記所定の演奏曲の演奏開始までの時間を表示させるものである請求項７の音楽再生装置の演奏待ち情報通知システム。
【請求項９】
前記演奏待ち情報表示手段は、前記所定の演奏曲が出力されるまでの間の演奏曲の曲数を表示させるものである請求項７又は８の音楽再生装置の演奏待ち情報通知システム。
【請求項１０】
前記演奏待ち情報表示手段は、前記予約情報送信手段により送信された前記所定の演奏曲が出力されるまでの間の演奏曲の情報を前記携帯用通信端末が受信する毎に前記所定の演奏曲の演奏待ち情報の表示を更新するものである請求項７から９の何れかの音楽再生装置の演奏待ち情報通知システム。
【請求項１１】
前記音楽再生装置は、演奏曲の演奏が終了したか否かを判定する演奏終了判定手段を含み、前記予約情報送信手段は、該演奏終了判定手段の判定が肯定される毎に前記所定の演奏曲が出力されるまでの間の演奏曲の情報を前記携帯用通信端末に送信するものである請求項７から１０の何れかの音楽再生装置の演奏待ち情報通知システム。
【請求項１２】
前記携帯用通信端末は、前記所定の演奏曲が出力されるまでの間の演奏曲の情報の更新を前記音楽再生装置に要求する更新要求手段を含み、前記予約情報送信手段は、該更新要求手段により更新が要求される毎に前記所定の演奏曲が出力されるまでの間の演奏曲の情報を前記携帯用通信端末に送信するものである請求項７から１１の何れかの音楽再生装置の演奏待ち情報通知システム。
【請求項１３】
前記予約情報送信手段は、所定時間が経過する毎に前記所定の演奏曲が出力されるまでの間の演奏曲の情報を前記携帯用通信端末に送信するものである請求項７から１２の何れかの音楽再生装置の演奏待ち情報通知システム。
【請求項１４】
前記携帯用通信端末は、前記所定の演奏曲が出力されるまでの間の演奏曲の情報に基づいて該所定の演奏曲の演奏開始が接近したことを通知する演奏開始接近通知手段を含むものである請求項７から１３の何れかの音楽再生装置の演奏待ち情報通知システム。
【請求項１５】
前記演奏開始接近通知手段は、前記演奏待ち時間算出手段により算出された前記所定の演奏曲の演奏開始までの時間が所定時間以下である場合に該所定の演奏曲の演奏開始が接近したことを通知するものである請求項１４の音楽再生装置の演奏待ち情報通知システム。
【請求項１６】
前記携帯用通信端末は、振動を発生させるバイブレータ部を備えており、前記演奏開始接近通知手段は、該バイブレータ部の振動により前記所定の演奏曲の演奏開始が接近したことを通知するものである請求項１４又は１５の音楽再生装置の演奏待ち情報通知システム。
【発明の詳細な説明】
【０００１】
【発明の属する技術分野】
本発明は、カラオケ装置をはじめとする音楽再生装置の演奏待ち情報通知システムに関する。
【０００２】
【従来の技術】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の曲情報を出力させると共に、その演奏曲の歌詞情報を含む映像をその出力に同期して画面に表示させることで、所望の歌のカラオケ演奏を楽しむことができる。
【０００３】
ところで、一般的なカラオケ装置では、演奏予約として複数の選曲番号を受け付け、その受付順（予約順）に演奏曲を出力させる。カラオケ装置に予約された演奏曲の曲数は、フロント操作パネルの表示部や映像再生装置に表示されるが、斯かる表示だけでは新たに予約される演奏曲の演奏開始までの時間や演奏開始予定時刻を把握することが難しい。そこで、新たに予約される演奏曲の演奏開始までの時間或いは演奏開始予定時刻を通知する技術が開発されている。例えば、特許文献１に記載された次予約曲情報機能付きカラオケ装置がそれである。このカラオケ装置のハードディスクには、カラオケ演奏曲毎に少なくとも識別情報、演奏情報、及び演奏時間情報を含む曲情報が記憶されており、操作パネル等により予約操作が実行されると、その時点において予約されている演奏曲の各演奏時間情報に基づいて新たに予約される演奏曲の演奏開始までの時間或いは演奏開始予定時刻が算出されて通知される。
【０００４】
【特許文献１】
特開平８−１１５０９０号公報
【０００５】
【発明が解決しようとする課題】
しかし、前記従来の技術により通知される演奏開始までの時間や演奏開始予定時刻は、あくまで対象となる演奏曲が予約された時点における情報であり、その演奏曲が予約された後に割り込み予約が実行されたり、カラオケ演奏が中途で中断されること等により意味のない情報となり、対象となる演奏曲の演奏開始までの時間や演奏開始予定時刻が分からなくなる可能性があった。とりわけ、比較的大人数でカラオケ演奏を楽しむ場合にはその傾向が顕著であり、対象となる演奏曲の演奏開始までの時間や演奏開始予定時刻等の演奏待ち情報を確実に把握させられる技術が求められていた。
【０００６】
本発明は、以上の事情を背景として為されたものであり、その目的とするところは、対象となる演奏曲の演奏開始までの時間や演奏開始予定時刻等の演奏待ち情報を確実に把握させられる音楽再生装置及びその演奏待ち情報通知システムを提供することにある。
【０００７】
【課題を解決するための第１の手段】
斯かる目的を達成するために、本第１発明の要旨とするところは、携帯用通信端末の入力操作により予約された所定の演奏曲を含む予約された複数の演奏曲を記憶する記憶装置を備え、その記憶装置に記憶された複数の演奏曲を順次出力させる音楽再生装置であって、その記憶装置に記憶された複数の予約された演奏曲のうち前記所定の演奏曲が出力されるまでの間の演奏曲の情報を前記携帯用通信端末に送信する予約情報送信手段を含むことを特徴とするものである。
【０００８】
【第１発明の効果】
このようにすれば、前記記憶装置に記憶された複数の予約された演奏曲のうち前記所定の演奏曲が出力されるまでの間の演奏曲の情報を前記携帯用通信端末に送信する予約情報送信手段を含むことから、対象となる演奏曲の演奏開始までの時間や演奏開始予定時刻等の演奏待ち情報を確実に把握させられる音楽再生装置を提供することができ、例えば、前記記憶装置に記憶された複数の予約された演奏曲に変更が生じた場合であっても、前記携帯用通信端末を介してその変更を踏まえた情報を通知することができる。
【０００９】
【第１発明の他の態様】
ここで、好適には、前記所定の演奏曲が出力されるまでの間の演奏曲の情報に基づいてその所定の演奏曲の演奏開始までの時間を算出する演奏待ち時間算出手段を含み、前記予約情報送信手段は、その演奏待ち時間算出手段により算出された前記所定の演奏曲の演奏開始までの時間を前記携帯用通信端末に送信するものである。このようにすれば、対象となる演奏曲の演奏開始までの時間を確実に把握させられるという利点がある。
【００１０】
また、好適には、前記予約情報送信手段は、前記所定の演奏曲が出力されるまでの間の演奏曲の曲数を前記携帯用通信端末に送信するものである。このようにすれば、対象となる演奏曲の演奏開始までに控える演奏待ち曲数を確実に把握させられるという利点がある。
【００１１】
また、好適には、演奏曲の演奏が終了したか否かを判定する演奏終了判定手段を含み、前記予約情報送信手段は、その演奏終了判定手段の判定が肯定される毎に前記所定の演奏曲が出力されるまでの間の演奏曲の情報を前記携帯用通信端末に送信するものである。このようにすれば、対象となる演奏曲の演奏待ち情報を更に確実に把握させられるという利点がある。
【００１２】
また、好適には、前記予約情報送信手段は、前記携帯用通信端末により所定の更新操作が実行される毎に前記所定の演奏曲が出力されるまでの間の演奏曲の情報をその携帯用通信端末に送信するものである。このようにすれば、対象となる演奏曲の演奏待ち情報を更に確実に把握させられるという利点がある。
【００１３】
また、好適には、前記予約情報送信手段は、所定時間が経過する毎に前記所定の演奏曲が出力されるまでの間の演奏曲の情報を前記携帯用通信端末に送信するものである。このようにすれば、対象となる演奏曲の演奏待ち情報を更に確実に把握させられるという利点がある。
【００１４】
【課題を解決するための第２の手段】
また、前記目的を達成するために、本第２発明の要旨とするところは、携帯用通信端末の入力操作により予約された所定の演奏曲を含む予約された複数の演奏曲を記憶する記憶装置を備え、その記憶装置に記憶された複数の演奏曲を順次出力させる音楽再生装置の演奏待ち情報通知システムであって、その音楽再生装置は、前記記憶装置に記憶された複数の予約された演奏曲のうち前記所定の演奏曲が出力されるまでの間の演奏曲の情報を前記携帯用通信端末に送信する予約情報送信手段を含み、前記携帯用通信端末は、その予約情報送信手段により送信された前記所定の演奏曲が出力されるまでの間の演奏曲の情報に基づいてその所定の演奏曲の演奏待ち情報を表示させる演奏待ち情報表示手段を含むことを特徴とするものである。
【００１５】
【第２発明の効果】
このようにすれば、前記音楽再生装置は、前記記憶装置に記憶された複数の予約された演奏曲のうち前記所定の演奏曲が出力されるまでの間の演奏曲の情報を前記携帯用通信端末に送信する予約情報送信手段を含み、前記携帯用通信端末は、その予約情報送信手段により送信された前記所定の演奏曲が出力されるまでの間の演奏曲の情報に基づいてその所定の演奏曲の演奏待ち情報を表示させる演奏待ち情報表示手段を含むことから、対象となる演奏曲の演奏開始までの時間や演奏開始予定時刻等の演奏待ち情報を確実に把握させられる音楽再生装置の演奏待ち情報通知システムを提供することができ、例えば、前記記憶装置に記憶された複数の予約された演奏曲に変更が生じた場合であっても前記携帯用通信端末を介してその変更を踏まえた情報を通知することができる。
【００１６】
【第２発明の他の態様】
ここで、好適には、前記所定の演奏曲が出力されるまでの間の演奏曲の情報に基づいてその所定の演奏曲の演奏開始までの時間を算出する演奏待ち時間算出手段を含み、前記演奏待ち情報表示手段は、その演奏待ち時間算出手段により算出された前記所定の演奏曲の演奏開始までの時間を表示させるものである。このようにすれば、対象となる演奏曲の演奏開始までの時間を確実に把握させられるという利点がある。
【００１７】
また、好適には、前記演奏待ち情報表示手段は、前記所定の演奏曲が出力されるまでの間の演奏曲の曲数を表示させるものである。このようにすれば、対象となる演奏曲の演奏開始までに控える演奏待ち曲数を確実に把握させられるという利点がある。
【００１８】
また、好適には、前記演奏待ち情報表示手段は、前記予約情報送信手段により送信された前記所定の演奏曲が出力されるまでの間の演奏曲の情報を前記携帯用通信端末が受信する毎に前記所定の演奏曲の演奏待ち情報の表示を更新するものである。このようにすれば、対象となる演奏曲の最新の演奏待ち情報を把握させられるという利点がある。
【００１９】
また、好適には、前記音楽再生装置は、演奏曲の演奏が終了したか否かを判定する演奏終了判定手段を含み、前記予約情報送信手段は、その演奏終了判定手段の判定が肯定される毎に前記所定の演奏曲が出力されるまでの間の演奏曲の情報を前記携帯用通信端末に送信するものである。このようにすれば、対象となる演奏曲の演奏待ち情報を更に確実に把握させられるという利点がある。
【００２０】
また、好適には、前記携帯用通信端末は、前記所定の演奏曲が出力されるまでの間の演奏曲の情報の更新を前記音楽再生装置に要求する更新要求手段を含み、前記予約情報送信手段は、その更新要求手段により更新が要求される毎に前記所定の演奏曲が出力されるまでの間の演奏曲の情報を前記携帯用通信端末に送信するものである。このようにすれば、対象となる演奏曲の演奏待ち情報を更に確実に把握させられるという利点がある。
【００２１】
また、好適には、前記予約情報送信手段は、所定時間が経過する毎に前記所定の演奏曲が出力されるまでの間の演奏曲の情報を前記携帯用通信端末に送信するものである。このようにすれば、対象となる演奏曲の演奏待ち情報を更に確実に把握させられるという利点がある。
【００２２】
また、好適には、前記携帯用通信端末は、前記所定の演奏曲が出力されるまでの間の演奏曲の情報に基づいてその所定の演奏曲の演奏開始が接近したことを通知する演奏開始接近通知手段を含むものである。このようにすれば、対象となる演奏曲の演奏開始が間近であることを確実に把握させられるという利点がある。
【００２３】
また、好適には、前記演奏開始接近通知手段は、前記演奏待ち時間算出手段により算出された前記所定の演奏曲の演奏開始までの時間が所定時間以下である場合にその所定の演奏曲の演奏開始が接近したことを通知するものである。このようにすれば、対象となる演奏曲の演奏開始が間近であることを更に確実に把握させられるという利点がある。
【００２４】
また、好適には、前記携帯用通信端末は、振動を発生させるバイブレータ部を備えており、前記演奏開始接近通知手段は、そのバイブレータ部の振動により前記所定の演奏曲の演奏開始が接近したことを通知するものである。このようにすれば、対象となる演奏曲の演奏開始が間近であることを更に確実に把握させられるという利点がある。
【００２５】
【実施例】
以下、本発明の好適な実施例を図面に基づいて詳細に説明する。
【００２６】
図１は、本発明が適用される音楽再生装置であるカラオケ装置１０の構成を説明するブロック線図である。このカラオケ装置１０は、ＣＲＴ等の映像表示装置１２と、背景映像再生装置としてのディスクプレーヤ１４と、映像合成装置としてのビデオミキサ１６と、アンプミキサ１８と、スピーカ２０と、音声入力装置としてのマイク２２と、操作パネル２４と、中央演算処理装置であるＣＰＵ２６、ＲＯＭ２８、記憶装置としてのＲＡＭ３０及びハードディスク３２、ターミナルアダプタ３４、ＣＲＴコントローラ３６、上記操作パネル２４やリモコン受信部４２からの入力信号を処理する入出力インターフェイス３８、演奏情報を生成して出力するためのシンセサイザ４０、遠隔操作装置からのリモコン信号を受信するためのリモコン受信部４２、及びブルートゥースモジュール４４とを、備えて構成されている。
【００２７】
上記中央演算処理装置２６は、上記ＲＯＭ２８に記憶された所定のプログラムに基づいて電子情報を処理・制御する所謂コンピュータであり、所定のカラオケ演奏曲が選曲された場合、上記ハードディスク３２から上記ＲＡＭ３０に選曲されたカラオケ演奏曲のタイトル情報、曲情報、歌詞文字映像情報、及び背景映像指定情報等を読み出したり、カラオケ演奏曲の演奏が進行するのに応じてそのＲＡＭ３０から上記シンセサイザ４０へ曲情報を送信したり、歌詞文字映像情報に基づいて歌詞文字映像を生成して上記ＣＲＴコントローラ３６へ送ったり、選曲時にはタイトル情報に基づいて曲名文字映像を生成して上記ＣＲＴコントローラ３６へ送ったり、上記ディスクプレーヤ１４の制御をする等の基本的な制御を実行する。
【００２８】
前記操作パネル２４は、ユーザが歌いたいカラオケ演奏曲を選択したり、演奏曲の音程を調整したり、演奏と歌との音量バランスを調整したり、顧客を識別するために顧客毎に設定された顧客ＩＤを入力したり、その他、エコー、音量、トーン等の各種調整を行うための操作釦（スイッチ）或いはツマミを備えた入力装置である。また、前記カラオケ装置１０には、前記操作パネル２４の一部機能を遠隔で実行するための遠隔操作装置として機能するリモコン４８が備えられており、前記リモコン受信部４２は、そのリモコン４８から送信されるリモコン信号を受信して前記中央演算処理装置２６へ供給する。
【００２９】
前記ディスクプレーヤ１４は、ユーザが歌詞を参照しながら歌を歌う際に前記映像表示装置１２に表示される背景映像（ＮＴＳＣ映像）を記憶したＣＤやＤＶＤを再生する背景映像再生装置である。また、前記ビデオミキサ１６は、前記ハードディスク３２から読み出された歌詞文字映像情報に基づいて前記中央演算処理装置２６において生成され且つ前記ＣＲＴコントローラ３６から出力される歌詞文字映像と、前記ディスクプレーヤ１４から送られる背景映像とを合成して前記映像表示装置１２に表示させる映像合成装置である。
【００３０】
前記シンセサイザ４０は、前記ハードディスク３２から読み出されて送られて来る演奏曲の曲情報に基づき、楽器の演奏信号等の音楽信号を生成する音源である。生成された音楽信号は、アナログ信号に変換されて前記アンプミキサ１８へ送られる。そのアンプミキサ１８では、送られてきた音楽信号と前記マイク２２を介して入力されるユーザの歌声とがミキシングされ、それらの信号が電気的に増幅されて前記スピーカ２０から出力される。
【００３１】
前記ブルートゥースモジュール４４は、同様にブルートゥースモジュールを有する携帯用通信端末（携帯電話）５０等の機器から送信されたブルートゥース信号を受信して前記中央演算処理装置２６へ供給すると共に、その中央演算処理装置２６から出力されたブルートゥース信号を送信する送受信装置である。
【００３２】
図２は、上記携帯用通信端末５０の操作部５２を説明する図である。この図２に示すように、上記携帯用通信端末５０における折り畳まれることで相対向する１対の面には、入力釦（スイッチ）として機能する１２個の文字入力釦５４、開始釦５６、電源釦５８、左右上下の移動釦６０、メール釦６２、クリア釦６４、決定釦６６、及び映像表示装置として機能する表示部６８が設けられている。
【００３３】
上記文字入力釦５４は、所望する文字を入力するための釦（スイッチ）であり、その文字入力釦５４が押されることにより、また必要に応じて所定の文字変換操作が行われることにより、所望する文字が上記表示部６８に表示される。上記開始釦５６は、電話をかけたりメールを送信したりするための釦であり、上記表示部６８に所定の電話番号が表示されている際にその開始釦５６が押されることにより、その電話番号に電話をかけられる。また、その表示部６８に所定のメールアドレスが表示されている際にその開始釦５６が押されることにより、そのメールアドレスにメールが送信される。上記電源釦５８は、通話を中止したり電源を入れたりするための釦であり、通話中にその電源釦５８が押されることにより、その通話が中止される。また、電源がオフである際にその電源釦５８が押されることにより、電源がオンの状態となる。上記移動釦６０は、上記表示部６８に表示されるカーソルを左右上下に移動させるため等に押される釦である。上記メール釦６２は、メール管理モードに入るため等に押される釦である。上記クリア釦６４は、上記表示部６８に表示された文字を消すため等に押される釦である。上記決定釦６６は、上記表示部６８に表示された内容で各種設定の項目を決定したり、文字変換を決定したりするため等に押される釦である。
【００３４】
図３は、前記携帯用通信端末５０の構成を説明するブロック線図である。この図３に示す制御部７０は、予めＲＯＭ７２に記憶されたプログラムに従って入力信号を処理し、前記操作部５２からの入力に従って文字入力が実行されるように制御したり、前記操作部５２から入力された電話番号に従って通信或いは通話チャンネルを成立させると共に相互の通信或いは通話が可能となるように制御したり、メールの作成及び送受信の制御を実行したりする。通話状態においては、アンテナ７４ａを介して送受信部７６に受けた通話信号等がモデム部７８を介して音声コーディック部８０においてデジタルコード信号から音声信号に変換され、アナログフロントエンド８２により音声出力器（スピーカ）８４が駆動されて音声が出力される。同時に、マイクロホン８６により音声から変換された音声信号が上記アナログフロントエンド８２を介して上記音声コーディック部８０に送られてそこでデジタル信号に変換され、上記モデム部７８、送受信部７６、及びアンテナ７４ａを介して送信される。また、通信状態において、上記制御部７０は、前記操作部５２から入力された信号を通信先へ送信すると同時に、通信先から受信された信号を前記表示部６８に表示させる。また、他の通信端末からの着信があったと判定される場合には、予め記憶部（フラッシュＲＯＭ）８８に記憶された呼出音情報に基づいて所定の呼出音を上記スピーカ８４から出力させるようにメロディー発生器９０を駆動させたり、呼出音非発信モードにおいてはバイブレータ部９２を駆動させて振動を発生させたりする。また、前記携帯用通信端末５０には、前記リモコン４８と同様に前記操作パネル２４の機能を遠隔的に実行するためのリモコン信号を送信するリモコン送信部９４と、ブルートゥース信号を送受信するためのブルートゥースモジュール９６及びそのアンテナ７４ｂとが設けられており、前記カラオケ装置１０を遠隔操作するための遠隔操作装置として機能する。
【００３５】
図１に戻って、前記ハードディスク３２にはカラオケデータベースが、前記ＲＡＭ３０には予約曲データベースがそれぞれ設けられている。このカラオケデータベースは、多数のカラオケ演奏曲をＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式で記憶するデータベースであり、その曲の選曲番号、曲名、背景映像指定情報、曲情報、及び歌詞文字映像情報等が記憶されるようになっている。また、上記予約曲データベースは、前記操作パネル２４、リモコン４８、又は携帯用通信端末５０の入力操作により予約された複数の演奏曲（予約曲）の選曲番号を記憶するデータベースであり、それら予約曲の選曲番号が演奏順（予約順）に記憶されるようになっている。
【００３６】
前記ターミナルアダプタ３４は、前記カラオケ装置１０を公衆電話回線、有線放送用ケーブル、又は光ファイバ等による通信回線４６に接続するための装置である。カラオケボックス等の店舗にそれぞれ備えられた複数のカラオケ装置１０は、上記通信回線４６を介して図示しないカラオケサービス提供会社のホストサーバに接続されており、それら複数のカラオケ装置１０によって常に新しい曲が演奏可能とされるように、随時新曲のカラオケ情報等が上記通信回線４６を介してダウンロードされ、前記ハードディスク３２のカラオケデータベース等に記憶されるようになっている。すなわち、前記カラオケ装置１０は、電気通信回線を通じて各種情報の送受信を実行し得る通信カラオケ装置である。
【００３７】
図４は、前記カラオケ装置１０の中央演算処理装置２６及び前記携帯用通信端末５０の制御部７０の制御機能の要部を説明する機能ブロック線図である。この図４に示す選曲情報入力手段９８は、前記ハードディスク３２のカラオケデータベースに記憶された複数の演奏曲のうちから所望の演奏曲を選曲するための選曲情報を入力する。具体的には、前記携帯用通信端末５０の操作部５２により所望の演奏曲の選曲番号を入力する。この選曲情報入力手段９８により入力された選曲番号は、前記リモコン送信部９４からリモコン信号として送信され、前記カラオケ装置１０のリモコン受信部４２により受信されて前記中央演算処理装置２６へ供給される。また、この選曲情報入力手段９８により入力された選曲番号は、前記記憶部８８に記憶されるようになっている。
【００３８】
予約情報送信手段１００は、前記ＲＡＭ３０の予約曲データベースに記憶された複数の予約された演奏曲のうち前記携帯用通信端末５０の入力操作すなわち上記選曲情報入力手段９８により予約された所定の演奏曲が出力されるまでの間の演奏曲の情報を前記ブルートゥースモジュール４４からブルートゥース信号として送信する。この予約情報送信手段１００により送信された前記所定の演奏曲が出力されるまでの間の演奏曲の情報は、前記携帯用通信端末５０のブルートゥースモジュール９６により受信されて前記制御部７０へ供給される。前記所定の演奏曲が出力されるまでの間の情報とは、その所定の演奏曲の演奏開始までの予定時間や演奏開始までの間に予約されている演奏曲の曲数等、前記所定の演奏曲の出力時期に関する情報であり、上記予約情報送信手段１００は、換言すれば、前記所定の演奏曲の出力時期に関する情報を前記携帯用通信端末５０に送信する出力時期情報送信手段である。
【００３９】
演奏待ち時間算出手段１０２は、前記所定の演奏曲が出力されるまでの間の演奏曲の情報に基づいてその所定の演奏曲の演奏開始までの時間を算出する。具体的には、前記ハードディスク３２のカラオケデータベースから前記ＲＡＭ３０の予約曲データベースに記憶された前記所定の演奏曲が出力されるまでの間の各演奏曲の演奏時間を読み出して、それらの演奏時間の合計を前記所定の演奏曲の演奏開始までの時間として算出する。上記予約情報送信手段１００は、好適には、上記演奏待ち時間算出手段１０２により算出された前記所定の演奏曲の演奏開始までの時間を前記携帯用通信端末５０に送信する。また、好適には、前記所定の演奏曲が出力されるまでの間の演奏曲の曲数を前記携帯用通信端末５０に送信する。
【００４０】
演奏終了判定手段１０４は、前記カラオケ装置１０による演奏曲の演奏が終了したか否かを判定する。この演奏曲の終了には中途の演奏中断を含む。前記予約情報送信手段１００は、好適には、上記演奏終了判定手段１０４の判定が肯定される毎に前記所定の演奏曲が出力されるまでの間の演奏曲の情報を前記携帯用通信端末５０に送信する。また、好適には、所定時間が経過する毎に前記所定の演奏曲が出力されるまでの間の演奏曲の情報を前記携帯用通信端末５０に送信する。
【００４１】
更新要求手段１０６は、前記所定の演奏曲が出力されるまでの間の演奏曲の情報の更新を前記カラオケ装置１０に要求する。この更新要求手段１０６による要求は、前記ブルートゥースモジュール９６からブルートゥース信号として送信され、前記カラオケ装置１０のブルートゥースモジュール４４により受信されて前記中央演算処理装置２６へ供給される。前記予約情報送信手段１００は、好適には、上記更新要求手段１０６により更新が要求される毎に前記所定の演奏曲が出力されるまでの間の演奏曲の情報を前記携帯用通信端末５０に送信する。
【００４２】
演奏待ち情報表示手段１０８は、前記予約情報送信手段１００により送信された前記所定の演奏曲が出力されるまでの間の演奏曲の情報に基づいてその所定の演奏曲の演奏待ち情報を前記表示部６８に表示させる。例えば、前記所定の演奏曲の演奏開始までの予定時間や演奏開始までの間に予約されている演奏曲の曲数等、前記所定の演奏曲の出力時期に関する情報を表示させる。すなわち、上記演奏待ち情報表示手段１０８は、換言すれば、前記所定の演奏曲の出力時期に関する情報を表示させる出力時期情報表示手段である。
【００４３】
時間計測手段１１０は、前記予約情報送信手段１００により送信された前記所定の演奏曲の演奏開始までの時間が前記ブルートゥースモジュール９６により受信されてからの経過時間を計測する。好適には、前記所定の演奏曲の演奏開始までの時間をカウントダウンする。上記演奏待ち情報表示手段１０８は、好適には、上記時間計測手段１１０によりカウントダウンされる前記所定の演奏曲の演奏開始までの時間を前記表示部６８に表示させる。
【００４４】
演奏開始接近通知手段１１２は、上記時間計測手段１１０により計測される前記所定の演奏曲の演奏開始までの時間が所定時間（例えば３分）未満となった場合にその所定の演奏曲の演奏開始が接近していることを通知する。好適には、前記バイブレータ部９２により振動を発生させる。また、好適には、前記演奏待ち情報表示手段１０８により前記所定の演奏曲の演奏開始が接近している旨を前記表示部６８に表示させる。
【００４５】
呼出音出力禁止手段１１４は、前記予約情報送信手段１００により送信された情報に基づいて前記カラオケ装置１０による前記所定の演奏曲の出力に際して呼出音の出力を禁止する。好適には、前記携帯用通信端末５０を留守番モードやマナーモード等の呼出音非発信モードに設定する。また、好適には、前記携帯用通信端末５０の電源を切る。
【００４６】
上記呼出音出力禁止手段１１４は、好適には、前記カラオケ装置１０による前記所定の演奏曲の出力の所定時間前例えば３分前から呼出音の出力を禁止する。また、好適には、前記カラオケ装置１０による前記所定の演奏曲の出力が終了した後、呼出音の出力の禁止を解除する。また、好適には、前記カラオケ装置１０による前記所定の演奏曲の出力が開始されてから所定時間（例えば１０分）が経過した場合には、呼出音の出力の禁止を解除する。
【００４７】
図５は、前記カラオケ装置１０の中央演算処理装置２６による制御作動の要部を説明するフローチャート、図６は、前記携帯用通信端末５０の制御部７０による制御作動の要部を説明するフローチャートであり、何れも所定の周期で繰り返し実行されるものである。また、図７は、本実施例の演奏待ち情報通知作動を説明するタイムチャートである。以下、これらの図を用いて本実施例の演奏待ち情報通知システムについて説明する。
【００４８】
図５に示す前記カラオケ装置１０の中央演算処理装置２６による制御作動では、先ず、ステップ（以下、ステップを省略する）ＳＡ１において、前記操作パネル２４やリモコン受信部４２からの入力が前記入出力インターフェイス３８を介して受け付けられる。次に、ＳＡ２において、前記操作パネル２４やリモコン受信部４２からの入力が実行されたか否かが判断される。このＳＡ２の判断が否定される場合には、ＳＡ１６において、前記ブルートゥースモジュール４４により前記携帯用通信端末５０からのブルートゥース信号が受信された後、ＳＡ１７において、前記携帯用通信端末５０からの更新要求が受信されたか否かが判断されるが、ＳＡ２の判断が肯定される場合には、ＳＡ３にて、選曲番号の入力が実行されたか否かが判断される。このＳＡ３の判断が否定される場合には、ＳＡ９において、前記ＲＡＭ３０の予約曲データベースに記憶された演奏待ち曲の削除が実行されたか否かが判断されるが、ＳＡ３の判断が肯定される場合には、ＳＡ４において、前記携帯用通信端末５０を識別するための携帯ＩＤ付きの入力が実行されたか否かが判断される。このＳＡ４の判断が否定される場合には、ＳＡ８において、入力された選曲番号が前記ＲＡＭ３０の予約曲データベースに記憶された演奏待ち曲リストの最終項（演奏順での最後）に加えられた後、本ルーチンが終了させられるが、ＳＡ４の判断が肯定される場合には、ＳＡ５において、入力された選曲番号及び携帯ＩＤが前記ＲＡＭ３０の予約曲データベースに記憶された演奏待ち曲リストの最終項に加えられた後、ＳＡ６において、入力された選曲番号に対応する演奏曲（対象曲）が出力されるまでの間の演奏曲の曲数及びそれら各演奏曲の選曲番号がその演奏待ち曲リストから調べられ、それら各演奏曲の演奏時間が前記ハードディスク３２のカラオケデータベースから読み出されると共に、それら各演奏曲の演奏時間の合計が対象曲の演奏開始までの時間すなわち演奏待ち時間として算出される。そして、ＳＡ７において、図７に示すように、曲名等の対象曲の情報、対象曲が出力されるまでの間の演奏曲の曲数、それら各演奏曲の選曲番号、それら各演奏曲の演奏時間、及び対象曲の演奏開始までの待ち時間、及びカラオケ装置１０の装置ＩＤが前記ブルートゥースモジュール４４からブルートゥース信号として選曲番号に付加された携帯ＩＤにて識別される携帯用通信端末５０へ送信された後、本ルーチンが終了させられる。
【００４９】
ＳＡ９の判断が否定される場合、すなわち前記ＲＡＭ３０の予約曲データベースに記憶された演奏待ち曲の削除が実行されなかった場合には、ＳＡ１３において、割り込み選曲入力が実行されたか否かが判断されるが、ＳＡ９の判断が肯定される場合には、ＳＡ１０において、指定の演奏曲が前記ＲＡＭ３０の予約曲データベースに記憶された演奏待ち曲リストから削除された後、ＳＡ１１において、対象曲が出力されるまでの間の演奏曲の曲数及びそれら各演奏曲の選曲番号がその演奏待ち曲リストから調べられ、それら各演奏曲の演奏時間が前記ハードディスク３２のカラオケデータベースから読み出されると共に、それら各演奏曲の演奏時間の合計が対象曲の演奏開始までの待ち時間として算出される。そして、ＳＡ１２において、対象曲が出力されるまでの間の演奏曲の曲数、それら各演奏曲の選曲番号、それら各演奏曲の演奏時間、及び対象曲の演奏開始までの待ち時間、及びカラオケ装置１０の装置ＩＤが前記ブルートゥースモジュール４４からブルートゥース信号として携帯ＩＤを有する各携帯用通信端末５０へ送信された後、本ルーチンが終了させられる。ＳＡ１３の判断が肯定される場合、すなわち割り込み選曲入力が実行された場合には、ＳＡ１４において、割り込み選曲入力された演奏曲の選曲番号が前記ＲＡＭ３０の予約曲データベースに記憶された演奏待ち曲リストに加えられた後、ＳＡ１１以下の処理が再び実行されるが、ＳＡ１３の判断が否定される場合、すなわち割り込み選曲入力が実行されなかった場合には、ＳＡ１５において、その他の処理が実行された後、本ルーチンが終了させられる。
【００５０】
ＳＡ１７の判断が否定される場合、すなわち前記携帯用通信端末５０からの更新要求が受信されなかった場合には、ＳＡ２０において、カラオケ演奏中であるか否かが判断されるが、ＳＡ１７の判断が肯定される場合、すなわち前記携帯用通信端末５０からの更新要求が受信された場合には、ＳＡ１８において、更新要求に付加された携帯ＩＤに対応する対象曲が出力されるまでの間の演奏曲の曲数及びそれら各演奏曲の選曲番号が前記ＲＡＭ３０の予約曲データベースに記憶された演奏待ち曲リストから調べられ、それら各演奏曲の演奏時間が前記ハードディスク３２のカラオケデータベースから読み出されると共に、それら各演奏曲の演奏時間の合計が対象曲の演奏開始までの待ち時間として算出される。そして、ＳＡ１９において、図７に示すように、対象曲が出力されるまでの間の演奏曲の曲数、それら各演奏曲の選曲番号、それら各演奏曲の演奏時間、及び対象曲の演奏開始までの待ち時間、及びカラオケ装置１０の装置ＩＤが前記ブルートゥースモジュール４４からブルートゥース信号として更新要求に付加された携帯ＩＤにて識別される携帯用通信端末５０へ送信された後、本ルーチンが終了させられる。
【００５１】
ＳＡ２０の判断が肯定される場合、すなわちカラオケ演奏中である場合には、それをもって本ルーチンが終了させられるが、ＳＡ２０の判断が否定される場合、すなわちカラオケ演奏中ではない場合には、ＳＡ２１において、前記ＲＡＭ３０の予約曲データベースに記憶された演奏待ち曲リストに演奏待ち曲がないか否かが判断される。このＳＡ２１の判断が肯定される場合には、それをもって本ルーチンが終了させられるが、ＳＡ２１の判断が否定される場合には、ＳＡ２２において、カラオケ演奏が終了させられたか否かが判断される。このＳＡ２２の判断が否定される場合には、それをもって本ルーチンが終了させられるが、ＳＡ２２の判断が肯定される場合には、ＳＡ２３において、携帯ＩＤが付加された演奏曲すなわち携帯ＩＤと共に選曲番号が入力された演奏曲のカラオケ演奏が終了させられたか否かが判断される。このＳＡ２３の判断が肯定される場合には、ＳＡ２４において、その終了させられた演奏曲に付加された携帯ＩＤ、カラオケ演奏の終了を通知するための演奏終了信号、その終了させられた演奏曲の選曲番号、及びカラオケ装置ＩＤが前記ブルートゥースモジュール４４からブルートゥース信号としてその携帯ＩＤで識別される携帯用通信端末５０を含む各携帯用通信端末５０へ送信された後、ＳＡ２６において、指定された演奏曲が前記ＲＡＭ３０の予約曲データベースに記憶された演奏待ち曲リストから削除される。そして、ＳＡ２７において、その演奏待ち曲リストにおける次の演奏曲のカラオケ演奏が開始された後、本ルーチンが終了させられる。ＳＡ２３の判断が否定される場合には、ＳＡ２５において、図７に示すように、カラオケ演奏の終了を通知するための演奏終了信号、その終了させられた演奏曲の選曲番号、及びカラオケ装置ＩＤがが前記ブルートゥースモジュール４４からブルートゥース信号として各携帯用通信端末５０へ送信された後、ＳＡ２６以下の処理が再び実行される。以上の制御において、ＳＡ７、ＳＡ１２、ＳＡ１９、ＳＡ２４、及びＳＡ２５が前記予約情報送信手段１００に、ＳＡ６、ＳＡ１１、及びＳＡ１８が前記演奏待ち時間算出手段１０２に、ＳＡ２２及びＳＡ２３が前記演奏終了判定手段１０４にそれぞれ対応する。
【００５２】
図６に示す前記携帯用通信端末５０の制御部７０による制御作動では、先ず、ＳＢ１において、前記操作部５２からの入力が受け付けられる。図８は、この時点において前記表示部６８に表示される選曲入力待ち画面である。次に、ＳＢ２において、前記操作部５２からの入力が実行されたか否かが判断される。このＳＢ２の判断が否定される場合には、ＳＢ８において、予約情報の自動更新時であるか否かが判断されるが、ＳＢ２の判断が肯定される場合には、ＳＢ３において、選曲操作すなわち選曲番号の入力が実行されたか否かが判断される。このＳＢ３の判断が否定される場合には、ＳＢ１１において、予約情報の更新要求操作が実行されたか否かが判断されるが、ＳＢ３の判断が肯定される場合には、ＳＢ４において、入力された選曲番号に携帯ＩＤが付加されて前記リモコン送信部９４からリモコン信号として送信され、ＳＢ５において、送信された選曲番号及び送信時刻が前記記憶部８８に記憶された後、ＳＢ６において、選曲受付待ちフラグが立てられる。そして、ＳＢ７において、演奏待ち時間表示フラグが立てられた後、本ルーチンが終了させられる。
【００５３】
ＳＢ８の判断が否定される場合、すなわち予約情報の自動更新時ではない場合には、ＳＢ１３において、前記ブルートゥースモジュール９６からのブルートゥース信号の入力が受け付けられた後、ＳＢ１４において、ブルートゥース信号の入力が受信されたか否かが判断されるが、ＳＢ８の判断が肯定される場合、すなわち予約情報の自動更新時である場合には、ＳＢ９において、更新要求を表す携帯ＩＤが前記ブルートゥースモジュール４４からブルートゥース信号として前記カラオケ装置１０へ送信され、ＳＢ１０において、更新待ちフラグが立てられた後、本ルーチンが終了させられる。ＳＢ１１の判断が否定される場合、すなわち予約情報の更新要求操作が実行されなかった場合には、ＳＢ１２において、その他の処理が実行された後、本ルーチンが終了させられるが、ＳＢ１１の判断が肯定される場合、すなわち予約情報の更新要求操作が実行された場合には、ＳＢ９以下の処理が再び実行される。
【００５４】
ＳＢ１４の判断が否定される場合、すなわちブルートゥース信号の入力が受信されなかった場合には、ＳＢ３１において、内部タイマの残り時間が確認された後、ＳＢ３２において、内部タイマの残り時間が３分前であるか否かが判断されるが、ＳＢ１４の判断が肯定される場合、すなわちブルートゥース信号の入力が受信された場合には、ＳＢ１５において、携帯ＩＤが付加されたブルートゥース信号の入力でありその携帯ＩＤが自らの携帯ＩＤと一致するか否かが判断される。このＳＢ１５の判断が否定される場合には、ＳＢ２８において、カラオケ演奏の終了を通知するための演奏終了信号が受信されたか否かが判断されるが、ＳＢ１５の判断が肯定される場合には、ＳＢ１６において、自らの携帯ＩＤと一致する携帯ＩＤが付加された演奏曲（対象曲）の演奏終了信号が受信されたか否かが判断される。このＳＢ１６の判断が肯定される場合には、ＳＢ１７において、留守番モードが解除され、ＳＢ１８において、演奏中フラグが消された後、本ルーチンが終了させられるが、ＳＢ１６の判断が否定される場合には、ＳＢ１９において、選曲入力が受け付けられて各種情報が前記ブルートゥースモジュール９６からブルートゥース信号として受信されたか否かが判断される。このＳＢ１９の判断が否定される場合には、ＳＢ２４において、更新要求が受け付けられて各種情報が前記ブルートゥースモジュール９６からブルートゥース信号として受信されたか否かが判断されるが、ＳＢ１９の判断が肯定される場合には、ＳＢ２０において、前記ブルートゥースモジュール９６から受信された曲名等の対象曲の情報、対象曲が出力されるまでの間の演奏曲の曲数、それら各演奏曲の選曲番号、それら各演奏曲の演奏時間、対象曲の演奏開始までの待ち時間、及びカラオケ装置１０の装置ＩＤが前記記憶部８８に記憶された後、ＳＢ２１において、内部タイマが起動されて対象曲の演奏開始までの待ち時間が表示されると共に、ＳＢ２２において、対象曲の演奏開始までの演奏曲の曲数等の情報が表示される。図９は、この時点において前記表示部６８に表示される演奏待ち情報通知画面である。そして、ＳＢ２３において、選曲受付待ちフラグが消された後、本ルーチンが終了させられる。
【００５５】
ＳＢ２４の判断が否定される場合、すなわち更新要求が受け付けられて各種情報が前記ブルートゥースモジュール９６からブルートゥース信号として受信されなかった場合には、それをもって本ルーチンが終了させられるが、ＳＢ２４の判断が肯定される場合、すなわち更新要求が受け付けられて各種情報が前記ブルートゥースモジュール９６からブルートゥース信号として受信された場合には、ＳＢ２５において、前記ブルートゥースモジュール９６から受信された対象曲が出力されるまでの間の演奏曲の曲数、それら各演奏曲の選曲番号、それら各演奏曲の演奏時間、対象曲の演奏開始までの待ち時間、及びカラオケ装置１０の装置ＩＤに基づいて前記記憶部８８に記憶された情報が更新される。図１０は、この時点において前記表示部６８に表示されるリロード画面である。次に、ＳＢ２６において、内部タイマの残り時間が更新されて対象曲の演奏開始までの待ち時間が表示されると共に、対象曲の演奏開始までの演奏曲の曲数等の表示が更新される。図１１は、この時点において前記表示部６８に表示される更新後の演奏待ち情報通知画面である。そして、ＳＢ２７において、更新待ちフラグが消された後、本ルーチンが終了させられる。ＳＢ２８の判断が否定される場合、すなわちカラオケ演奏の終了を通知するための演奏終了信号が受信されなかった場合には、それをもって本ルーチンが終了させられるが、ＳＢ２８の判断が肯定される場合、すなわちカラオケ演奏の終了を通知するための演奏終了信号が受信された場合には、ＳＢ２９において、前記記憶部８８に記憶された情報のうちその演奏終了信号に対応する演奏曲の情報が削除され、ＳＢ３０において、内部タイマの残り時間が更新されて対象曲の演奏開始までの待ち時間が表示されると共に、対象曲の演奏開始までの演奏曲の曲数等の表示が更新された後、本ルーチンが終了させられる。なお、ＳＢ２９では、他のカラオケ装置への削除信号による誤削除を防ぐため、演奏終了信号に付加されたカラオケ装置ＩＤが予め前記記憶部８８に記憶されたカラオケ装置ＩＤと一致するか否かが判断され、この判断が肯定される場合にのみ削除が実行される。
【００５６】
ＳＢ３２の判断が否定される場合、すなわち内部タイマの残り時間が３分前ではない場合には、ＳＢ３６において、内部タイマの残り時間が３分以上前であるか否かが判断されるが、ＳＢ３２の判断が肯定される場合、すなわち内部タイマの残り時間が３分前である場合には、ＳＢ３３において、前記バイブレータ部９２により所定時間振動が発生させられた後、ＳＢ３４において、曲名、歌手名、及び歌い出し等の対象曲の情報に加えて対象曲の演奏開始が接近している旨が前記表示部６８に表示される。図１２は、この時点において前記表示部６８に表示される演奏開始接近通知画面である。そして、ＳＢ３５において、留守番モードに設定された後、本ルーチンが終了させられる。ＳＢ３６の判断が肯定される場合、すなわち内部タイマの残り時間が３分以上前である場合には、ＳＢ３７において、前記表示部６８による演奏待ち情報の表示が維持された後、本ルーチンが終了させられるが、ＳＢ３６の判断が否定される場合、すなわち内部タイマの残り時間が３分以上前ではない場合には、ＳＢ３８において、対象曲のカラオケ演奏が開始されたか否かが判断される。このＳＢ３８の判断が肯定される場合には、ＳＢ３９において、演奏中フラグが立てられ、ＳＢ４０において、待ち時間表示フラグが消されて前記表示部６８に留守番モードである旨が表示された後、本ルーチンが終了させられるが、ＳＢ３８の判断が否定される場合には、ＳＢ４１において、演奏中フラグがオンであるか否かが判断される。このＳＢ４１の判断が否定される場合には、それをもって本ルーチンが終了させられるが、ＳＢ４１の判断が肯定される場合には、ＳＢ４２において、対象曲の演奏が開始されてから１０分が経過して未だに留守番モードであるか否かが判断される。このＳＢ４２の判断が否定される場合には、それをもって本ルーチンが終了させられるが、ＳＢ４２の判断が肯定される場合には、ＳＢ４３において、留守番モードが解除された後、本ルーチンが終了させられる。以上の制御において、ＳＢ８、ＳＢ９、及びＳＢ１１が前記更新要求手段１０６に、ＳＢ２１、ＳＢ２２、ＳＢ２６、ＳＢ３０、及びＳＢ３４が前記演奏待ち情報表示手段１０８に、ＳＢ２１、ＳＢ２６、及びＳＢ３０が時間計測手段１１０に、ＳＢ３３及びＳＢ３４が演奏開始接近通知手段１１２に、ＳＢ１７、ＳＢ３５、及びＳＢ４３が呼出音出力禁止手段１１４にそれぞれ対応する。
【００５７】
このように、本実施例によれば、音楽再生装置である前記カラオケ装置１０の中央演算処理装置２６は、記憶装置である前記ＲＡＭ３０の予約曲データベースに記憶された複数の予約された演奏曲のうち前記所定の演奏曲が出力されるまでの間の演奏曲の情報を前記携帯用通信端末５０に送信する予約情報送信手段１００（ＳＡ７、ＳＡ１２、ＳＡ１９、ＳＡ２４、及びＳＡ２５）を含み、前記携帯用通信端末５０の制御部７０は、その予約情報送信手段１００により送信された前記所定の演奏曲が出力されるまでの間の演奏曲の情報に基づいてその所定の演奏曲の演奏待ち情報を表示させる演奏待ち情報表示手段１０８（ＳＢ２１、ＳＢ２２、ＳＢ２６、ＳＢ３０、及びＳＢ３４）を含むことから、前記予約曲データベースに記憶された複数の予約された演奏曲に変更が生じた場合であっても前記携帯用通信端末５０を介してその変更を踏まえた情報を通知することができる。すなわち、対象となる演奏曲の演奏開始までの時間や演奏開始予定時刻等の演奏待ち情報を確実に把握させられるカラオケ装置１０及びその演奏待ち情報通知システムを提供することができる。
【００５８】
また、前記所定の演奏曲が出力されるまでの間の演奏曲の情報に基づいてその所定の演奏曲の演奏開始までの時間を算出する演奏待ち時間算出手段１０２（ＳＡ６、ＳＡ１１、及びＳＡ１８）を含み、前記予約情報送信手段１００は、その演奏待ち時間算出手段１０２により算出された前記所定の演奏曲の演奏開始までの時間を前記携帯用通信端末５０に送信するものであり、前記演奏待ち情報表示手段１０８は、その予約情報送信手段１００により送信された前記所定の演奏曲の演奏開始までの時間を表示させるものであるため、対象となる演奏曲の演奏開始までの時間を確実に把握させられるという利点がある。
【００５９】
また、前記予約情報送信手段１００は、前記所定の演奏曲が出力されるまでの間の演奏曲の曲数を前記携帯用通信端末５０に送信するものであり、前記演奏待ち情報表示手段１０８は、その予約情報送信手段１００により送信された前記所定の演奏曲が出力されるまでの間の演奏曲の曲数を表示させるものであるため、対象となる演奏曲の演奏開始までに控える演奏待ち曲数を確実に把握させられるという利点がある。
【００６０】
また、前記演奏待ち情報表示手段１０８は、前記予約情報送信手段１００により送信された前記所定の演奏曲が出力されるまでの間の演奏曲の情報を前記携帯用通信端末５０が受信する毎に前記所定の演奏曲の演奏待ち情報の表示を更新するものであるため、対象となる演奏曲の最新の演奏待ち情報を把握させられるという利点がある。
【００６１】
また、前記カラオケ装置１０の中央演算処理装置２６は、演奏曲の演奏が終了したか否かを判定する演奏終了判定手段１０４（ＳＡ２２及びＳＡ２３）を含み、前記予約情報送信手段１００は、その演奏終了判定手段１０４の判定が肯定される毎に前記所定の演奏曲が出力されるまでの間の演奏曲の情報を前記携帯用通信端末５０に送信するものであるため、対象となる演奏曲の演奏待ち情報を更に確実に把握させられるという利点がある。
【００６２】
また、前記携帯用通信端末５０の制御部７０は、前記所定の演奏曲が出力されるまでの間の演奏曲の情報の更新を前記カラオケ装置１０に要求する更新要求手段１０６（ＳＢ８、ＳＢ９、及びＳＢ１１）を含み、前記予約情報送信手段１００は、その更新要求手段１０６により更新が要求される毎に前記所定の演奏曲が出力されるまでの間の演奏曲の情報を前記携帯用通信端末５０に送信するものであるため、対象となる演奏曲の演奏待ち情報を更に確実に把握させられるという利点がある。
【００６３】
また、前記予約情報送信手段１００は、所定時間が経過する毎に前記所定の演奏曲が出力されるまでの間の演奏曲の情報を前記携帯用通信端末５０に送信するものであるため、対象となる演奏曲の演奏待ち情報を更に確実に把握させられるという利点がある。
【００６４】
また、前記携帯用通信端末５０は、前記所定の演奏曲が出力されるまでの間の演奏曲の情報に基づいてその所定の演奏曲の演奏開始が接近したことを通知する演奏開始接近通知手段１１２（ＳＢ３３及びＳＢ３４）を含むものであるため、対象となる演奏曲の演奏開始が間近であることを確実に把握させられるという利点がある。
【００６５】
また、前記演奏開始接近通知手段１１２は、前記演奏待ち時間算出手段１０２により算出された前記所定の演奏曲の演奏開始までの時間が所定時間以下である場合にその所定の演奏曲の演奏開始が接近したことを通知するものであるため、対象となる演奏曲の演奏開始が間近であることを更に確実に把握させられるという利点がある。
【００６６】
また、前記携帯用通信端末５０は、振動を発生させるバイブレータ部９２を備えており、前記演奏開始接近通知手段１１２は、そのバイブレータ部９２の振動により前記所定の演奏曲の演奏開始が接近したことを通知するものであるため、対象となる演奏曲の演奏開始が間近であることを更に確実に把握させられるという利点がある。
【００６７】
以上、本発明の好適な実施例を図面に基づいて詳細に説明したが、本発明はこれに限定されるものではなく、更に別の態様においても実施される。
【００６８】
図１３は、図４の中央演算処理装置２６による演奏待ち情報通知作動の他の一例を説明するタイムチャートである。前述の実施例において、前記予約情報送信手段１００は、演奏待ち時間算出手段１０２により算出された前記所定の演奏曲の演奏開始までの時間及びその所定の演奏曲が出力されるまでの間の演奏曲の曲数を前記携帯用通信端末５０に送信するものであり、前記演奏待ち情報表示手段１０８は、それらの情報を前記表示部６８に表示させるものであったが、例えば、図１３に示すように、前記予約情報送信手段１００は、前記所定の演奏曲が出力されるまでの間の演奏曲の曲数のみを前記携帯用通信端末５０に送信するものであってもよい。この場合、前記演奏待ち情報表示手段１０８は、図１４に示すような演奏待ち情報通知画面を前記表示部６８に表示させる。
【００６９】
また、前述の実施例において、前記演奏待ち時間算出手段１０２は、前記カラオケ装置１０の中央演算処理装置２６の制御機能であったが、この演奏待ち時間算出手段１０２は、前記携帯用通信端末５０の制御部７０の制御機能であってもよい。例えば、その携帯用通信端末５０の記憶部８８に各演奏曲の演奏時間が記憶されていれば、専らその制御部７０のみにより前記所定の演奏曲の演奏開始までの時間が算出できる。この場合、前記予約情報送信手段１００は、前記所定の演奏曲が出力されるまでの間の演奏曲の選曲番号のみを前記携帯用通信端末５０に送信するものであっても構わない。
【００７０】
また、前述の実施例において、前記時間計測手段１１０は、前記携帯用通信端末５０の制御部７０の制御機能であったが、この時間計測手段１１０は、前記カラオケ装置１０の中央演算処理装置２６の制御機能であってもよい。この場合、専らその中央演算処理装置２６のみにより前記所定の演奏曲の演奏開始までの時間が算出され、前記予約情報送信手段１００は、前記時間計測手段１１０により計測される残り時間が変化する毎にその残り時間を前記携帯用通信端末５０に送信する。
【００７１】
また、前述の実施例では、前記選曲情報入力手段９８により１曲の演奏曲が入力され、その１曲の演奏曲の演奏待ち情報を通知する演奏待ち情報通知システムについて説明したが、例えば、前記選曲情報入力手段９８により２曲以上の演奏曲が同時に入力された場合や、先に入力された１曲の演奏曲が演奏される前に次の１曲の演奏曲が選曲された場合等にも本発明は好適に適用される。この場合、前記演奏待ち情報表示手段１０８は、数秒毎に画面を切り換えること等によりそれら複数の演奏曲の演奏待ち情報を前記表示部６８に表示させる。
【００７２】
また、前述の実施例では、前記ＲＡＭ３０に予約曲データベースが設けられていたが、この予約曲データベースは、前記ハードディスク３２に設けられたものであっても構わない。
【００７３】
その他、一々例示はしないが、本発明はその趣旨を逸脱しない範囲内において種々の変更が加えられて実施されるものである。
【図面の簡単な説明】
【図１】本発明が適用される音楽再生装置であるカラオケ装置の構成を説明するブロック線図である。
【図２】図１のカラオケ装置の遠隔操作装置として機能する携帯用通信端末の操作部を説明する図である。
【図３】図２の携帯用通信端末の構成を説明するブロック線図である。
【図４】図１のカラオケ装置の中央演算処理装置及び図３の携帯用通信端末の制御部による制御機能の要部を説明する機能ブロック線図である。
【図５】図１のカラオケ装置の中央演算処理装置による制御作動の要部を説明するフローチャートである。
【図６】図３の携帯用通信端末の制御部による制御作動の要部を説明するフローチャートである。
【図７】図４のカラオケ装置の中央演算処理装置及び携帯用通信端末の制御部による演奏待ち情報通知作動を説明するタイムチャートである。
【図８】図２の表示部に表示される選曲入力待ち画面である。
【図９】図２の表示部に表示される演奏待ち情報通知画面である。
【図１０】図２の表示部に表示されるリロード画面である。
【図１１】図２の表示部に表示される更新後の演奏待ち情報通知画面である。
【図１２】図２の表示部に表示される演奏開始接近通知画面である。
【図１３】図４のカラオケ装置の中央演算処理装置及び携帯用通信端末の制御部による演奏待ち情報通知作動の他の一例を説明するタイムチャートである。
【図１４】図２の表示部に表示される演奏待ち情報通知画面の他の一例である。
【符号の説明】
１０：カラオケ装置（音楽再生装置）
３０：ＲＡＭ（記憶装置）
３２：ハードディスク（記憶装置）
５０：携帯用通信端末
９２：バイブレータ部
１００：予約情報送信手段
１０２：演奏待ち時間算出手段
１０４：演奏終了判定手段
１０６：更新要求手段
１０８：演奏待ち情報表示手段
１１２：演奏開始接近通知手段
【図１】
2005024689.tif 000003
【図２】
2005024689.tif 000004
【図３】
2005024689.tif 000005
【図４】
2005024689.tif 000006
【図５】
2005024689.tif 000007
【図６】
2005024689.tif 000008
【図７】
2005024689.tif 000009
【図８】
2005024689.tif 000010
【図９】
2005024689.tif 000011
【図１０】
2005024689.tif 000012
【図１１】
2005024689.tif 000013
【図１２】
2005024689.tif 000014
【図１３】
2005024689.tif 000015
【図１４】
2005024689.tif 000016